【手続補正書】
【提出日】平成17年1月14日(2005.1.14)
【手続補正１】
【補正対象書類名】明細書
【補正対象項目名】特許請求の範囲
【補正方法】変更
【補正の内容】
【特許請求の範囲】
【請求項１】
ビーム光を発生するビーム光発生手段と、
このビーム光発生手段から発生されたビーム光を被走査面へ向けて反射し、前記ビーム光により前記被走査面を走査する走査手段と、
この走査手段により前記被走査面を走査する前記ビーム光を検知する第１のビーム光検知手段と、
この第１のビーム光検知手段の出力を基準に前記ビーム光の走査方向の走査範囲を規定する走査範囲規定手段と、
前記第１のビーム光検知手段よりもビーム光走査方向に対し下流側に配設され、前記被走査面上での前記走査範囲規定手段によって規定された走査範囲を走査するビーム光を検知する第２のビーム光検知手段と、
この第２のビーム光検知手段の出力から、前記走査範囲規定手段により規定された走査範囲と前記被走査面でのビーム光の走査範囲との関係を判定し、前記被走査面上での走査範囲が所定の範囲となるように前記走査範囲規定手段を制御する制御手段と、
を具備したことを特徴とするビーム光走査装置。
【請求項２】
ビーム光を発生するビーム光発生手段と、
このビーム光発生手段から発生されたビーム光を被走査面へ向けて反射し、前記被走査面を走査する走査手段と、
この走査手段により前記被走査面を走査する前記ビーム光を検知する第１のビーム光検知手段と、
この第１のビーム光検知手段よりもビーム光走査方向に対し下流側に配設され、前記被走査面上での前記走査範囲規定手段によって規定された走査範囲を走査するビーム光を検知する第２のビーム光検知手段と、
前記第１のビーム光検知手段がビーム光を検知するために、前記ビーム光発生手段がビーム光を発生するように制御する第１の制御手段と、
前記第１のビーム光検知手段の出力に同期したクロックを発生するクロック発生手段と、
このクロック発生手段から発生するクロックに同期して前記ビーム光発生手段からビーム光が発生するよう前記ビーム光発生手段を制御する第２の制御手段と、
この第２の制御手段の制御により前記ビーム光発生手段から発生するビーム光が前記第２のビーム光検知手段で検知されたか否かを判定するビーム光位置判定手段と、
前記ビーム光の走査範囲を設定する走査範囲設定部と、
前記ビーム光位置判定手段の判定結果に基づき、前記走査範囲設定部への走査範囲設定を行なう第３の制御手段と、
を具備したことを特徴とするビーム光走査装置。
【請求項３】
ビーム光を発生するビーム光発生手段と、
このビーム光発生手段から発生されたビーム光を被走査面へ向けて反射し、前記被走査面を走査する走査手段と、
この走査手段により前記被走査面を走査する前記ビーム光を検知する第１のビーム光検知手段と、
この第１のビーム光検知手段よりもビーム光走査方向に対し下流側に配設され、前記被走査面を走査する前記ビーム光を検知する第２のビーム光検知手段と、
前記第１のビーム光検知手段がビーム光を検知するために、前記ビーム光発生手段がビーム光を発生するように制御する第１の制御手段と、
前記第１のビーム光検知手段の出力に同期した複数の位相のずれたクロックを発生するクロック発生手段と、
このクロック発生手段から発生する複数のクロックから１つのクロックを選択するクロック選択手段と、
このクロック選択手段が選択するクロックに同期して前記ビーム光発生手段からビーム光が発生するよう前記ビーム光発生手段を制御する第２の制御手段と、
この第２の制御手段の制御により前記ビーム光発生手段から発生するビーム光が前記第２のビーム光検知手段で検知されたか否かを判定するビーム光位置判定手段と、
前記ビーム光の走査範囲を設定する走査範囲設定部と、
前記ビーム光位置判定手段の判定結果に基づき、前記クロック選択手段のクロック選択と前記走査範囲設定部への走査範囲設定とを行なう第３の制御手段と、
を具備したことを特徴とするビーム光走査装置。
【請求項４】
ビーム光を発生する複数のビーム光発生手段と、
この複数のビーム光発生手段から発生された複数のビーム光を光学的に合成したのち被走査面へ向けてそれぞれ反射し、前記複数のビーム光により前記被走査面を走査する走査手段と、
この走査手段により前記被走査面を走査する前記複数のビーム光のいずれかを検知する第１のビーム光検知手段と、
この第１のビーム光検知手段よりもビーム光走査方向に対し下流側に配設され、前記被走査面を走査する前記複数のビーム光を検知する第２のビーム光検知手段と、
前記第１のビーム光検知手段が前記複数のビーム光のいずれかを検知するために、前記複数のビーム光発生手段がビーム光を発生するように制御する第１の制御手段と、
前記第１のビーム光検知手段の出力に同期したクロックを発生するクロック発生手段と、
このクロック発生手段から発生するクロックに同期して前記複数のビーム光発生手段のうち少なくとも１つのビーム光発生手段からビーム光が発生するよう前記ビーム光発生手段を制御する第２の制御手段と、
この第２の制御手段の制御により少なくとも１つのビーム光発生手段から発生するビーム光が前記第２のビーム光検知手段で検知されたか否かを判定するビーム光位置判定手段と、
前記複数のビーム光の各走査範囲をそれぞれ設定する走査範囲設定部と、
前記ビーム光位置判定手段の判定結果に基づき、前記複数のビーム光に対する前記走査範囲設定部への走査範囲設定を行なう第３の制御手段と、
を具備したことを特徴とするビーム光走査装置。
【請求項５】
ビーム光を発生する複数のビーム光発生手段と、
この複数のビーム光発生手段から発生された複数のビーム光を光学的に合成したのち被走査面へ向けてそれぞれ反射し、前記複数のビーム光により前記被走査面を走査する走査手段と、
この走査手段により前記被走査面を走査する前記複数のビーム光のいずれかを検知する第１のビーム光検知手段と、
この第１のビーム光検知手段よりもビーム光走査方向に対し下流側に配設され、前記被走査面を走査する前記複数のビーム光を検知する第２のビーム光検知手段と、
前記第１のビーム光検知手段が前記複数のビーム光のいずれかを検知するために、前記複数のビーム光発生手段がビーム光を発生するように制御する第１の制御手段と、
前記第１のビーム光検知手段の出力に同期した複数の位相のずれたクロックを発生するクロック発生手段と、
前記複数のビーム光それぞれに対し、前記クロック発生手段から発生する複数の位相のずれたクロックの中からクロックを選択するクロック選択手段と、
このクロック選択手段で選択されたクロックに同期して前記複数のビーム光発生手段のうち少なくとも１つのビーム光発生手段からビーム光が発生するよう前記ビーム光発生手段を制御する第２の制御手段と、
この第２の制御手段の制御により少なくとも１つのビーム光発生手段から発生するビーム光が前記第２のビーム光検知手段で検知されたか否かを判定するビーム光位置判定手段と、
前記複数のビーム光の各走査範囲をそれぞれ設定する走査範囲設定部と、
前記ビーム光位置判定手段の判定結果に基づき、前記複数のビーム光に対する前記クロック選択手段のクロック選択と前記走査範囲設定部への走査範囲設定をと行なう第３の制御手段と、
を具備したことを特徴とするビーム光走査装置。
【請求項６】
前記クロック発生手段は、前記第１のビーム光検知手段が前記複数のビームのうち最初に到来したビーム光に対して応答した出力に同期してクロックを発生することを特徴とする請求項４または５に記載のビーム光走査装置。
【請求項７】
前記クロック発生手段が発生する複数のクロックの位相ずれは１クロックのほぼ整数分の１であることを特徴とする請求項３または５に記載のビーム光走査装置。
【請求項８】
前記走査範囲設定部は、前記クロック発生手段から発生するクロックを基準とし、設定された値に基づいて前記ビーム光の走査範囲を定めることを特徴とする請求項１乃至５のいずれか１つに記載のビーム光走査装置。
【請求項９】
前記第１のビーム光検知手段および第２のビーム光検知手段は、前記ビーム光の走査方向と直交する方向に所定の間隔で平行に配設された光検知素子からなり、これら各光検知素子は同一の部材上に設けられていることを特徴とする請求項１乃至５のいずれか１つに記載のビーム光走査装置。
【請求項１０】
前記第３の制御手段が行なう制御は、該ビーム光走査装置に電源が投入された直後に実行されることを特徴とする請求項１乃至５のいずれか１つに記載のビーム光走査装置。
【請求項１１】
前記第３の制御手段が行なう制御は、ある所定の時間ごとに実行されることを特徴とする請求項１乃至５のいずれか１つに記載のビーム光走査装置。
【請求項１２】
請求項１乃至１１記載のいずれか１つに記載の光走査装置と、
この光走査装置からのビーム光により露光される像担持体と、
この像担持体上に形成された静電潜像を現像するための現像剤を収納する現像器と、
を具備したことを特徴とする画像形成装置。
【手続補正２】
【補正対象書類名】明細書
【補正対象項目名】００１９
【補正方法】変更
【補正の内容】
【００１９】
また、本発明の画像形成装置は、請求項１乃至１１記載のいずれか１つに記載の光走査装置と、この光走査装置からのビーム光により露光される像担持体と、この像担持体上に形成された静電潜像を現像するための現像剤を収納する現像器とを具備している。
【手続補正３】
【補正対象書類名】明細書
【補正対象項目名】００２０
【補正方法】削除
【補正の内容】
【手続補正４】
【補正対象書類名】明細書
【補正対象項目名】００２１
【補正方法】削除
【補正の内容】
【手続補正５】
【補正対象書類名】明細書
【補正対象項目名】００２２
【補正方法】削除
【補正の内容】
【手続補正６】
【補正対象書類名】明細書
【補正対象項目名】００２３
【補正方法】削除
【補正の内容】
【手続補正７】
【補正対象書類名】明細書
【補正対象項目名】００２４
【補正方法】削除
【補正の内容】
【手続補正８】
【補正対象書類名】明細書
【補正対象項目名】００２５
【補正方法】削除
【補正の内容】
【手続補正９】
【補正対象書類名】明細書
【補正対象項目名】００２６
【補正方法】削除
【補正の内容】
【手続補正１０】
【補正対象書類名】明細書
【補正対象項目名】００２７
【補正方法】削除
【補正の内容】
【手続補正１１】
【補正対象書類名】明細書
【補正対象項目名】００２８
【補正方法】削除
【補正の内容】
【手続補正１２】
【補正対象書類名】明細書
【補正対象項目名】００２９
【補正方法】削除
【補正の内容】